(57)【要約】【課題】本発明は、クラブヘッドとクラブシャフトとの間に介在する角度調整装置によって、クラブヘッドとクラブシャフトとの相対位置を容易に変更できるゴルフクラブを提供する。【解決手段】角度調整装置を介してクラブシャフトとクラブヘッドのホーゼルが連結して構成されるゴルフクラブにおいて、前記角度調整装置は、スイング時、クラブの打球面がゴルフボールに到達する直前に上下となる両端と、該両端の間に延在し、少なくとも前記両端のうち上端となる一端が開口となり、該開口を経由して前記クラブシャフトを挿入できる中空部と、を有する筒形体であって、前記両端のうち下端となる一端近傍には、前記ホーゼルに着脱自在に取り付けられる取付部が形成されており、前記筒形体全体の中心線と前記中空部の延在方向とが、所定角度で交差していることを特徴とするゴルフクラブを提供する。【選択図】図３
2011062424.tif 000002
【特許請求の範囲】
【請求項１】
角度調整装置を介して、クラブシャフトとクラブヘッドのホーゼルとが連結して構成されるゴルフクラブにおいて、
前記角度調整装置は、スイング時、クラブの打球面がゴルフボールに到達する直前に、上下位置となる両端と、
該両端の間に延在し、少なくとも前記両端のうち上端となる一端が開口となり、該開口を経由して前記クラブシャフトを挿入できる中空部と、を有する筒形体であって、
前記両端のうち下端となる一端近傍に、前記ホーゼルに着脱自在に取り付けられる取付部が形成されており、
前記筒形体全体の中心線が、前記中空部の延在方向に対して所定角度で交差し、
それによって、前記取付部を前記ホーゼルに取付ける位置を調整することで、前記中空部の前記ホーゼルに対する位置、つまり、前記中空部に挿入する前記クラブシャフトの前記クラブヘッドに対する位置を変えることができることを特徴とするゴルフクラブ。
【請求項２】
前記角度調整装置の、前記下端となる一端近傍に形成されている取付部は、前記ホーゼルに嵌め込まれるだけで仮固定され得るように構成されていることを特徴とする請求項１に記載のゴルフクラブ。
【請求項３】
前記筒形体の周壁は、その内壁と外壁とが円形断面となっており、肉厚が、より厚い一方からより薄い一方へ徐々に変化していることを特徴とする請求項２に記載のゴルフクラブ。
【請求項４】
前記取付部は、前記ホーゼルに嵌め込まれると、前記ホーゼルに対する回動が制限されることを特徴とする請求項２に記載のゴルフクラブ。
【請求項５】
前記取付部の外周壁に、複数の突条が、前記外周壁の所定周方向において所定間隔を空けて設けられ、前記複数の突条それぞれの、前記外周壁からの突出高さが所定周方向において一定になるように形成されており、
前記ホーゼルには断面円形の中孔が形成されており、
該中孔の内周壁には、前記複数の突条をそれぞれ嵌合できるように、複数の案内溝が形成されており、
それによって、前記取付部を前記中孔内に嵌合させて仮固定することができるように構成されていることを特徴とする請求項４に記載のゴルフクラブ。
【請求項６】
前記筒形体の外壁の前記複数の突条と、前記上端となる一端との間に、環状突起が更に形成されており、
前記ホーゼルが前記取付部を仮固定しているとき、前記ボーゼルの先端は、前記角度調整装置の前記上端となる一端近傍にまで至っており、
前記角度調整装置には、他に中間通孔を有する押付けリングが付設されており、
該押付けリングは、その一端部が小径であり、他端部が大径であり、それらの間に階段部が形成されており、
前記小径となっている一端部は、前記ホーゼルの中孔に嵌め込まれるように構成されており、
前記押付けリングは、更に、前記中間通孔が前記角度調整装置の前記上端となる一端に挿入されながら、前記小径となっている一端部が前記ホーゼルの中孔に嵌め込まれ、且つ前記小径となっている一端部の先端が前記環状突起に押し付けられ得るように構成されていることを特徴とする請求項５に記載のゴルフクラブ。
【請求項７】
前記ホーゼルは、その先端近傍に雌ネジが形成されており、
前記押付けリングは、前記小径となっている一端部に、前記ホーゼルの先端近くに形成されている雌ネジと螺合し得る雄ネジが形成されており、
前記押付けリングは、該押付けリングの中間通孔に、前記角度調整装置の前記上端となる一端を挿入させながら、前記雄ネジを前記雌ネジに螺合させることにより、前記小径となっている一端部が前記ホーゼルの中孔に嵌め込まれ、且つ前記小径となっている一端部の先端が前記環状突起に押し付けられ得るように構成されていることを特徴とする請求項６に記載のゴルフクラブ。
【請求項８】
前記角度調整装置は、前記上端となる一端近傍に雄ネジが形成されており、
前記押付けリングは、前記中間通孔に前記角度調整装置の前記上端となる一端を挿入、及び貫通させることができるように構成されており、
前記角度調整装置は、他に、止めリングが付設されており、
該止めリングには雌ネジが形成され、前記押付けリングの中間通孔に挿入、及び貫通してから露出する前記角度調整装置の前記上端となる一端の雄ネジと螺合することにより、前記押付けリングを止めることができることを特徴とする請求項６に記載のゴルフクラブ。
【請求項９】
前記角度調整装置は、前記上端となる一端近傍の周縁に係止手段が形成されており、
前記押付けリングは、前記中間通孔に前記角度調整装置の前記上端となる一端を挿入、及び貫通させることができるように構成されており、
前記角度調整装置は、他に、止めリングが付設されており、
該止めリングには、前記係止手段に係止される止め手段が形成され、前記係止手段による係止によって、前記押付けリングを止めることができることを特徴とする請求項６に記載のゴルフクラブ。
【請求項１０】
前記複数の突条には、それぞれ特有の記号が標記されており、
前記ホーゼルの先端の外表面には、前記取付部が前記ホーゼルに取り付けられる際、前記記号のいずれかと合致できるように指標が標記されていることを特徴とする請求項６に記載のゴルフクラブ。
【請求項１１】
前記各突条は、前記外周壁からの突出高さが前記角度調整装置の上端に近い一端から徐々に低くなっている第１部分と、前記外周壁からの突出高さが一定になっている第２部分とから構成されており、
前記各案内溝は、前記内周壁からの陥凹深さが一定になっている第１部分と、前記第１部分から連続し、且つ、前記内周壁からの陥凹深さが徐々に深くなっている第２部分とから構成されており、前記各案内溝の第１部分が、前記各突条の第２部分と嵌合し、前記各案内溝の第２部分が、前記各突条の第１部分と嵌合できるように形成されていることを特徴とする請求項５〜請求項９のいずれか一項に記載のゴルフクラブ。
【請求項１２】
前記各突条の第２部分は、前記各突条の第１部分の先端から延在するように構成されており、
前記各案内溝の第２部分は、前記各案内溝の第１部分の先端から延在するように構成されていることを特徴とする請求項１１に記載のゴルフクラブ。
【請求項１３】
前記複数の突条の第２部分には、それぞれ特有の記号が標記されており、
前記ホーゼルの先端の外表面には、前記取付部が前記ホーゼルに取り付けられる際、前記記号のいずれかと合致できるように指標が標記されていることを特徴とする請求項１２に記載のゴルフクラブ。
【発明の詳細な説明】
【技術分野】
【０００１】
本発明は、ゴルフクラブに関し、特に、クラブヘッドの打撃角度を容易に調整出来るゴルフクラブに関する。
【背景技術】
【０００２】
従来のゴルフクラブ１は、図１及び図２に示すように、ホーゼル１１１を有するクラブヘッド１１と、一端が該クラブヘッド１１のホーゼル１１１に挿入されているクラブシャフト１２とから構成されている。
【０００３】
状況によって打球の方向や飛距離を調整するため、打球面１１２及びクラブヘッド１１全体の形状が適切な番手のゴルフクラブを選んでスイングするのが一般的である。しかし、各番手のゴルフクラブを全て用意するのは非常に面倒である。
【０００４】
勿論、ゴルフクラブ一本でスイングフォームを調整して対応することも一つの選択肢ではあるが、フォームが崩れやすく、本来のスイング技術を発揮することが困難な上、必要のない傷害を受ける可能性も大きい。
【０００５】
そのため、クラブヘッドのホーゼルとクラブシャフトとの間に、クラブヘッドとクラブシャフトとの相対位置を調整できる角度調整機構が取り付けられている改良型のゴルフクラブが提案されている（特許文献１参照）。
【０００６】
この改良型のゴルフクラブは、クラブヘッドとクラブシャフトとの相対位置を簡単に調整できるため、このゴルフクラブ１本だけで様々な状況に対応でき、非常に便利である。
【先行技術文献】
【特許文献】
【０００７】
【特許文献１】台湾特許第Ｍ３０６１２７号
【発明の概要】
【発明が解決しようとする課題】
【０００８】
しかしながら、前記改良型のゴルフクラブにおける角度調整機構は、部材数がかなり多く、部材の製造時や組立時にズレが生じやすい。従って、製造コストがかなり高く、角度調整作業にもかなり手間が掛かるなどの問題がある。
【０００９】
前記問題に鑑みて、本発明は、クラブヘッドとクラブシャフトとの間に介在する角度調整装置が簡単な構成を有し、該角度調整装置によってクラブヘッドとクラブシャフトとの相対位置の調整が容易であるゴルフクラブを提供することを目的とする。
【課題を解決するための手段】
【００１０】
前記目的を達成するため、本発明は、角度調整装置を介してクラブシャフトとクラブヘッドのホーゼルとが連結して構成されるゴルフクラブにおいて、前記角度調整装置は筒形体であり、該筒形体は、スイング時、クラブの打球面がゴルフボールに到達する直前に上下となる両端と、該両端の間に延在し、少なくとも前記両端のうち上端となる一端が開口となり、該開口を経由して前記クラブシャフトを挿入できる中空部と、を有しており、前記両端のうち下端となる一端近傍には、前記ホーゼルに着脱自在に取り付けられる取付部が形成されており、前記筒形体の中心線と前記中空部の延在方向とは、所定角度で交差していることを特徴とするゴルフクラブを提供する。
【００１１】
本発明の実施形態として、前記筒形体の周壁は、その内壁と外壁とが円形断面であり、肉厚が、より厚い一方からより薄い一方へ徐々に変化しているものが挙げられる。
【００１２】
さらに、前記取付部の外周壁に、複数の突条が前記外周壁の所定周方向において所定間隔を空けて設けられ、複数の突条それぞれの前記外周壁からの突出高さが、前記外周壁の所定周方向において一定になるように形成されている。また、前記ホーゼルには、円形断面の中孔が形成され、該中孔の内周壁には、前記複数の突条をそれぞれ嵌合できるように、複数の案内溝が形成されており、それによって、前記取付部を前記中孔内に嵌合させて仮固定することができるように構成されているものも挙げられる。
【発明の効果】
【００１３】
前記構成を有する本発明のゴルフクラブは、前記角度調整装置を用いて前記取付部と前記ホーゼルとの相対位置を調整するだけで、前記中空部の前記ホーゼルに対する位置、つまり、前記中空部に挿入する前記クラブシャフトの前記クラブヘッドに対する位置を調整できるので、クラブヘッドの打撃角度を容易に調整できる。
【図面の簡単な説明】
【００１４】
【図１】従来のゴルフクラブにおけるクラブヘッドの正面図である。
【図２】図１のゴルフクラブにおけるクラブヘッドの側面図である。
【図３】本発明の実施例１における、ゴルフクラブの正面分解図である。
【図４】図３のゴルフクラブが組み立てられている際、その角度調整装置の連結関係を示す部分縦断面図である。
【図５】図４のＶ―Ｖ線に沿って切断した断面図である。
【図６】本発明の実施例２における、ゴルフクラブの正面分解図である。
【図７】図６のゴルフクラブが組み立てられている際、その角度調整装置の連結関係を示す部分縦断面図である。
【図８】本発明の実施例３のゴルフクラブが組み立てられている際、その角度調整装置の連結関係を示す部分縦断面図である。
【発明を実施するための形態】
【００１５】
以下、図３〜図７を参照しながら、本発明の実施例１〜３を説明する。
【実施例１】
【００１６】
図３〜図５に示すのは、本発明の実施例１のゴルフクラブＡである。
【００１７】
図３に示すように、実施例１のゴルフクラブＡは、クラブシャフト４を、角度調整装置５を介し、打球面３１を有するクラブヘッド３のホーゼル３２に連結して構成されるものである。
【００１８】
図３及び図４に示すように、角度調整装置５は、主として、一端が開口５１１となっている筒形体５１を指しているが、他に、中間通孔５３０を有する押付けリング５３も付設されている。
【００１９】
筒形体５１は中空部５１０を有し、スイング時、開口５１１となっている一端を、クラブの打球面３１がゴルフボールに到達する直前の状態における上端とし（以下、上端５１３とも呼ぶ）、他の一端を、筒形体５１における該上端の反対側にあり、且つスイング時にクラブの打球面３１がゴルフボールに到達する直前の状態における下端とする（以下、下端５１４とも呼ぶ）。
【００２０】
また、筒形体５１は、筒形体５１全体の中心線が、中空部５１０の延在方向に対して所定角度で交差するように構成されている。そのため、筒形体５１の周壁５１２は、図５に示すように、その内壁５１２ａ及び外壁５１２ｂが円形断面となっているが、これらは互いに中心点が異なり、所定の断面における肉厚がより厚い一方から、より薄い一方へ徐々に変化している。更に、筒形体５１の長さ方向においても肉厚が変化している。なお、筒形体５１における外壁５１２ｂの中心線は、筒形体５１全体の中心線と一致しており、筒形体５１における内壁５１２ａの中心線は、中空部５１０の中心線と一致している。この両中心線は、上記のように、互いに所定角度で交差している。
【００２１】
クラブシャフト４の一端は、開口５１１を経由して筒形体５１の中空部５１０に挿入されることができる。
【００２２】
筒形体５１の下端５１４近傍には、クラブヘッド３のホーゼル３２に着脱自在に取り付けられる取付部５２が形成されている。
【００２３】
この取付部５２をホーゼル３２に嵌合するだけで、クラブヘッド３を仮固定することができるように構成されている。
【００２４】
詳細には、取付部５２の外周壁５２０に、複数の突条５２１が、該外周壁５２０の所定周方向に所定間隔を空けて設けられ、且つ各突条５２１の外周壁５２０からの突出高さが所定周方向において一定になるように形成されている。
【００２５】
取付部５２の外周壁５２０からの突出高さは、角度調整装置５の上端５１３に近い一端から徐々に低くなっている。
【００２６】
本実施例１においては、取付部５２の突条５２１を含めた最大の外径と、各突条５２１の突出高さとは、任意の周方向において等しく、筒形体５１の下端５１４に近いほど周方向における高さは低くなっている。
【００２７】
ホーゼル３２には、円形断面の中孔３２０が形成されている。
【００２８】
該中孔３２０の内周壁に、複数の案内溝３２１が該内周壁の所定周方向において所定の間隔を空けて設けられ、案内溝３１それぞれの該内周壁からの陥凹深さが、該内周壁の所定周方向において一定になるように、且つ、前記複数の突条５２１に対応して互いに嵌合できるように構成されている。
【００２９】
従って、取付部５２がホーゼル３２の中孔３２０にある程度挿入されると、複数の案内溝３２１が複数の突条５２１をそれぞれ嵌合し、取付部５２を中孔３２０内に嵌合させて仮固定することができる。
【００３０】
筒形体５１における外壁５１２ｂの中心線と筒形体５１全体の中心線とはホーゼル３２の中心線と一致しているが、筒形体５１における内壁の中心線、即ち、筒形体５１における中空部５１０の中心線とホーゼル３２の中心線とは一致していないので、ホーゼル３２の中心線と筒形体５１における中空部５１０の延在方向とは所定角度で交差している。
【００３１】
本実施例１のゴルフクラブＡにおいては、突条５２１が八つあり、それらに対応する案内溝３２１も八つある。八つの突条５２１には、それぞれ記号５２２（本実施例１では数字１〜８）が標記されている。
【００３２】
ホーゼル３２の先端の外表面には、取付部５２がホーゼル３２に取り付けられる際、複数の突条５２１に標記された記号５２２のいずれかと合致することができるように指標３２２が標記されている。
【００３３】
上記の構成により、本実施例１のゴルフクラブＡは、クラブシャフトのクラブヘッドに対する位置を、八通りに設定することができる。
【００３４】
本実施例１のゴルフクラブＡは、取付部５２をホーゼル３２に取付ける位置（または挿入時の相対位置）を調整するだけで、中空部５１０のホーゼル３２に対する位置、つまり、中空部５１０に挿入するクラブシャフト４のクラブヘッド３に対する位置を八通りに変えることができるので、本実施例１のゴルフクラブＡにおけるクラブヘッド３の打撃角度を容易に調整できる。
【００３５】
以下の表１は、本実施例１のゴルフクラブＡを、それぞれ前記八通りの状態に設定した場合の位置変化を示している。本実施例１における基準ゴルフクラブとして、この実施例１のゴルフクラブＡから角度調整装置５（筒形体５１の他にも押付けリング５３を含む）を取り外し、クラブヘッドにクラブシャフトを直接嵌めて形成された、従来のゴルフクラブと同様なクラブを設定する。表中の「１」〜「８」は、それぞれ、指標３２２が記号５２２の数字「１」〜「８」と合致するように組み立てられたゴルフクラブＡを指す。
【００３６】
表１における角度θは、スイング時に打球面がボールに接触する直前におけるクラブシャフト４と地面との間の角度であり、角度φはクラブシャフト４及びクラブヘッド３の、打球面３１との間における角度であり、左／右向き修正は基準クラブでの飛行方向を基準とした場合、所定記号のクラブでスイングした際にボールの飛行方向が左／右に偏った角度である。左向き修正にも右向き修正にも「０」と記載されているのは、どちらにも偏っていないという意味である。また、左向き修正に「なし」と記載されているのは、右向き修正のみがあり左向き修正がないという意味であり、右向き修正に「なし」と記載されているのは、左向き修正のみがあり右向き修正がないという意味である。
【００３７】
【表１】
2011062424.tif 000003
【００３８】
表１における「３」の、指標３２２が記号５２２の数字「３」と合致するように組み立てられたゴルフクラブＡを例として説明する。該ゴルフクラブＡは、前記基準クラブに比べ、角度θの変化量は＋１度（＋方向に１度上がったこと）であり、角度φの変化量は±０度（角度変化がなかったこと）であり、左向き修正も右向き修正も０度（前記基準クラブを基準とした場合、ボールの飛行方向の左／右に偏った角度が０度であること）である。
【００３９】
これらの数字からみると、この「３」に調整されたゴルフクラブＡは、角度θが基準クラブより１度大きい６０度であり、角度φが基準クラブと同じ１２．９９であるが、その打球の方向は前記基準クラブと完全に同一である。
【００４０】
次に、「１」のゴルフクラブＡをみると、その角度θが基準クラブと同じ５９度であり、角度φが基準クラブより１．１７度小さい１１．８２度であり、その打球の方向は、前記基準クラブでスイングした場合より右に１．９４度ほど偏る。
【００４１】
表１からわかるように、本実施例１のゴルフクラブＡは、クラブヘッド３の打撃角度を調整できるので、このゴルフクラブ一本で、自分のスイングフォームを維持しながら様々な状況に対応できる。打球の調整については、初めのうちは表１のような表を参照しながら行う必要があるが、慣れれば状況に合わせて組立て番号の選択をすることができる。
【００４２】
さらに、筒形体５１の外壁５１２ｂの複数の突条５２１と、筒形体５１の上端５１３との間に、環状突起５１５がすべての突条５２１に隣接するように形成されている。
【００４３】
押付けリング５３は、一端部５３１が小径となり、他端部５３２が大径となり、その間に階段部５３３が形成されている。小径となっている一端部５３１に、ホーゼル３２の先端近くに形成されている雌ネジ３２３と螺合し得る雄ネジ５３１ａが形成されている。
【００４４】
押付けリング５３の中間通孔５３０に筒形体５１の上端５１３を挿入させながら、雄ネジ５３１ａと雌ネジ３２３とを螺合させることにより、押付けリング５３は、小径となっている一端部５３１がホーゼル３２の中孔３２０に嵌め込まれ、且つ小径となっている一端部５３１の先端は環状突起５１５に押し付けられる。すなわち、押付けリング５３は、筒形体５１をホーゼル３２に押し付けて仮固定することができる。
【実施例２】
【００４５】
次に、図６及び図７を参照しながら、本発明の実施例２を説明する。
【００４６】
実施例２のゴルフクラブＢの構成は実施例１のゴルフクラブＡとほぼ同様であり、以下は異なる点だけについて説明する。
【００４７】
実施例２のゴルフクラブＢにおける各突条６２１は、取付部６２の外周壁６２０からの突出高さが、筒形体６１の上端６１３に近い一端から徐々に低くなっている第１部分６２１ａと、外周壁６２０からの突出高さが一定になっている第２部分６２１ｂとから構成されている。
【００４８】
即ち、取付部６２において、突条６２１の第１部分６２１ａを含めた外径と、各突条６２１における第１部分６２１ａの突出高さとは、任意の周方向において等しく、筒形体６１の下端６１４に近づくほど周方向における高さは低くなっている。一方、突条６２１の第２部分６２１ｂを含めた外径と、各突条６２１における第２部分６２１ｂの突出高さとも同様に周方向において等しい。
【００４９】
各突条の第２部分６２１ｂは、各突条の第１部分６２１ａの先端から延在するように構成されている。
【００５０】
ホーゼル７２には、円形断面の中孔７２０が形成されている。
【００５１】
実施例２のゴルフクラブＢにおける各案内溝７２１は、中孔７２０の内周壁からの陥凹深さが一定になっている第１部分７２１ａと、第１部分７２１ａから連続し、且つ、該中孔７２０の内周壁からの陥凹深さが徐々に深くなっている第２部分７２１ｂとから構成されている。
【００５２】
各案内溝の第２部分７２１ｂは、各案内溝の第１部分７２１ａの先端から延在するように構成されている。
【００５３】
各案内溝７２１の第１部分７２１ａは、各突条６２１の第２部分６２１ｂに対応して互いに嵌合できるように形成されており、一方、各案内溝７２１の第２部分７２１ｂは、各突条６２１の第１部分６２１ａに対応して互いに嵌合できるように形成されている。
【００５４】
従って、取付部６２がホーゼル７２の中孔７２０にある程度挿入されると、複数の案内溝の第１部分７２１ａは、複数の突条の第２部分６２１ｂとそれぞれ嵌合し、さらに奥へ挿入されると、複数の案内溝の第２部分７２１ｂは、複数の突条の第１部分６２１ａともそれぞれ嵌合し、取付部６２を中孔７２０内に嵌め込ませて仮固定することができる。
【００５５】
複数の案内溝の第１部分７２１ａは、複数の突条の第２部分６２１ｂとそれぞれ嵌合し、複数の案内溝の第２部分７２１ｂは、複数の突条の第１部分６２１ａともそれぞれ嵌合することにより、実施例２のゴルフクラブＢは、実施例１より堅く仮固定できる。
【００５６】
本実施例２のゴルフクラブＢにおいて、八つの突条６２１の第２部分６２１ｂには、それぞれ記号６２２（本実施例２では数字１〜８）が標記されている。
【００５７】
本実施例２における角度調整装置６の筒形体６１は、その上端６１３近くに雄ネジ６１３ａが形成されている。
【００５８】
角度調整装置６は、他に、止めリング６４が付設されている。
【００５９】
押付けリング６３は、その中間通孔６３０に角度調整装置６における筒形体６１の上端６１３を挿入、及び貫通させることができるように構成されている。
【００６０】
止めリング６４は、内側に雌ネジ６４１が形成されていて、押付けリング６３の中間通孔６３０に挿入、及び貫通してから露出する筒形体６１の上端６１３の雄ネジ６１３ａと螺合することにより、押付けリング６３を止めることができるので、本実施例２における角度調整装置６とホーゼル７２との仮固定は非常に安定している。
【実施例３】
【００６１】
実施例３のゴルフクラブＣの構成は実施例２のゴルフクラブＢとほぼ同様であり、以下は異なる点について説明する。
【００６２】
実施例３のゴルフクラブＣは、図８に示すように、その押付けリング８３の小径となっている一端部８３１が、ホーゼル９２の中孔９２０に堅く嵌め込まれ、筒形体８１をホーゼル９２に押し付けて仮固定することができるように構成されている。
【００６３】
前記構成によるゴルフクラブＣは、そのクラブシャフト４と角度調整装置８（筒形体８１の他にも押付けリング８３、止めリング８４を含む）とが、共にホーゼル９２の中孔９２０から引き抜くことができるので、仮固定にかかる作業時間を更に短縮することができる。
【００６４】
角度調整装置８は、止めリング８４が付設されおり、且つ筒形体８１の上端８１３近くの周縁にも係止手段８１３ａが形成されている。
【００６５】
止めリング８４は、筒形体８１の係止手段８１３ａに係止される止め手段８４１を更に有するので、止め手段８４１と係止手段８１３ａとの係止により、押付けリング８３を止めることができる。
【産業上の利用可能性】
【００６６】
上述したように、本発明のゴルフクラブは、角度調整装置における取付部と、クラブヘッドのホーゼルとの仮固定によって、前記クラブシャフトの前記クラブヘッドに対する位置を容易に変えることができるので、作業時間の短縮化を図ることができる。
【００６７】
本発明のゴルフクラブは、角度調整装置の部材が従来に比べてかなり少ないので、コストの低減と生産性の向上とに有利である。
【符号の説明】
【００６８】
Ａ、Ｂ、Ｃ  ゴルフクラブ
３  クラブヘッド
３１  打球面
３２、７２、９２  ホーゼル
３２０、７２０、９２０  中孔
３２１  複数の案内溝
３２２  指標
３２３  ホーゼルの雌ネジ
４  クラブシャフト
５、６、８  角度調整装置
５１、６１、８１  筒形体
５１０  中空部
５１１  開口
５１２  筒形体の周壁
５１２ａ  内壁
５１２ｂ  外壁
５１３  上端
５１４  下端
５１５  環状突起
５２、６２  取付部
５２０、６２０  取付部の外周壁
５２１  複数の突条
５２２  複数の記号
５３、６３、８３  押付けリング
５３０、６３０  中間通孔
５３１  小径となっている一端部
５３１ａ、６１３ａ  雄ネジ
５３２  大径となっている他端部
５３３  階段部
６１３、８１３  筒形体の上端
６１４  筒形体の下端
６２１ａ  複数の突条の第１部分
６２１ｂ  複数の突条の第２部分
６２２  記号
６４、８４  止めリング
６４１  雌ネジ
７２１ａ  複数の案内溝の第１部分
７２１ｂ  複数の案内溝の第２部分
８１３ａ  係止手段
８３１  小径となっている一端部
８４１  止め手段
【図１】
2011062424.tif 000004
【図２】
2011062424.tif 000005
【図３】
2011062424.tif 000006
【図４】
2011062424.tif 000007
【図５】
2011062424.tif 000008
【図６】
2011062424.tif 000009
【図７】
2011062424.tif 000010
【図８】
2011062424.tif 000011